(57)【要約】【課題】評価性能及び信頼性の高い評価方法と装置を提供する。【解決手段】物理アドレス情報がグルーブウォブルの位相変調により記録されている光ディスクから光学的に、前記グルーブウォブルに影響を受けたウォブル信号を取得する。ウォブル信号を位相検波し、ローパスフィルタに通し、その出力から求めたジッタ分布の標準偏差σと前記位相変調のシンボルクロックの周期Ｔとを用いてσ／Ｔの計算値を判定するためにジッタ計算器５１で計算する。【選択図】    図１５
2004296007.tif 000002
【特許請求の範囲】
【請求項１】
物理アドレス情報がグルーブウォブルの位相変調により記録されている光ディスクから、光学的に、前記グルーブウォブルに影響を受けたウォブル信号を取得し、
前記ウォブル信号を位相検波し、
この位相検波により得た位相検波波形をローパスフィルタに通し、
前記ローパスフィルタ出力から求めたジッタ分布の標準偏差σと前記位相変調のシンボルクロックの周期Ｔとを用いてσ／Ｔの計算値を判定することで、上記物理アドレス情報の信頼性を評価する記録情報評価方法。
【請求項２】
上記σ／Ｔが１２％以下であることを評価の規準としている請求項１記載の記録情報評価方法。
【請求項３】
物理アドレス情報がグルーブウォブルの位相変調により記録されている光ディスクから、光学的に、前記グルーブウォブルに影響を受けたウォブル信号を取得し、
前記ウォブル信号を位相検波し、
この位相検波により得た位相検波波形をローパスフィルタに通し、
前記ローパスフィルタ出力から求めた振幅の絶対値分布の標準偏差σ及び平均値μを用いて算出される推定誤り率の値を判定することで、上記物理アドレス情報の信頼性を評価する記録情報評価方法。
【請求項４】
上記推定誤り率が１Ｅ−３以下であることを評価の規準としている請求項３記載の記録情報評価方法。
【請求項５】
物理アドレス情報がグルーブウォブルの位相変調により記録されている光ディスクから、光学的に、前記グルーブウォブルに影響を受けたウォブル信号を取得する手段と、
前記ウォブル信号を位相検波する位相検波手段と、
この位相検波手段から出力された位相検波波形が供給されるローパスフィルタと、
前記ローパスフィルタ出力から求めたジッタ分布の標準偏差σと前記位相変調のシンボルクロックの周期Ｔとを用いてσ／Ｔの計算値を判定することで、上記物理アドレス情報の信頼性を評価するための計算手段と
を有した記録情報評価装置。
【請求項６】
物理アドレス情報がグルーブウォブルの位相変調により記録されている光ディスクから、光学的に、前記グルーブウォブルに影響を受けたウォブル信号を取得する手段と、
前記ウォブル信号を位相検波する位相検波手段と、
この位相検波から出力された位相検波波形が供給されるローパスフィルタと、前記ローパスフィルタ出力から求めた振幅の絶対値分布の標準偏差σ及び平均値μを用いて算出される推定誤り率の値を判定することで、上記物理アドレス情報の信頼性を評価するための計算手段と
を有した記録情報評価装置。
【請求項７】
物理アドレス情報がグルーブウォブルの位相変調により記録されている光ディスクであって、この光ディスクから光学的に前記グルーブウォブルに影響を受けたウォブル信号が取得され、前記ウォブル信号が位相検波され、この位相検波により得た位相検波波形がローパスフィルタに通され、前記ローパスフィルタ出力から求めたジッタ分布の標準偏差σと前記位相変調のシンボルクロックの周期Ｔとを用いてσ／Ｔの計算値が判定され、このσ／Ｔが１２％以下である情報記録媒体。
【請求項８】
物理アドレス情報がグルーブウォブルの位相変調により記録されている光ディスクであり、光学的に前記グルーブウォブルに影響を受けたウォブル信号が取得され、前記ウォブル信号が位相検波され、この位相検波により得た位相検波波形がローパスフィルタに通され、前記ローパスフィルタ出力から求めた振幅の絶対値分布の標準偏差σ及び平均値μを用いて算出される推定誤り率が１Ｅ−３以下である情報記録媒体。
【発明の詳細な説明】
【０００１】
【発明の属する技術分野】
この発明は、記録媒体の評価方法と装置及びその情報記録媒体に関するもので、例えばＤＶＤなどのような光ディスクに記録された情報を評価するのに有効な発明である。
【０００２】
【従来の技術】
周知のように近年では、情報の高密度記録が可能な光ディスクとして、片面１層で容量が４．７ＧＢを有する光ディスクが実用化されている。例えば、再生専用の光ディスクであるＤＶＤ−ＲＯＭ、書き換え可能なＤＶＤ−ＲＡＭ、ＤＶＤ−ＲＷ、＋ＲＷがある。
【０００３】
これらの光ディスクは透明基板上に情報記録層を形成し、レーザー光をこれに集光することで、情報の記録再生を行っている。また、情報の記録再生部分の構造として、光ディスクの情報記録層はグルーブと呼ばれる案内溝を有している。情報の記録再生はこの案内溝に沿って行われる。また、情報を記録再生する空間的な位置を特定するための、物理アドレスが形成されている。
【０００４】
物理アドレスの形成手段としては、ＤＶＤ−ＲＡＭにおいてはプリピットと呼ばれる基板の断続的な凹凸によって形成されている。これに対し＋ＲＷでは案内溝を半径方向に小さく振動させるグルーブウォブルの変調（以下ウォブル変調）を利用している。ウォブル変調による物理アドレスは、記録トラックを遮断しないことから、ユーザー情報を記録する面積が広い、すなわちフォーマット効率が高い、再生専用メディアとの互換がとりやすいといった利点がある。
【０００５】
例えばＳｔａｎｄａｒｄ  ＥＣＭＡ−３３７における＋ＲＷフォーマットでは、ウォブル位相変調により物理アドレスを形成している。このフォーマットでは、ウォブル信号を評価する指標としてＮＢＳＮＲ（Ｎａｒｒｏｗ  Ｂａｎｄ  Ｓｉｇｎａｌ  ｔｏ  Ｎｏｉｚｅ  Ｒａｔｉｏ）を用いている。ＮＢＳＮＲとはウォブル信号の周波数帯域での信号対雑音比を意味し、ＮＢＳＮＲが大きいほど信号品質は良好である。＋ＲＷフォーマットにおいてはウォブル信号のＮＢＳＮＲが、測定トラックに信号が記録されていない状態で４５ｄＢ以上、測定トラックに信号が記録されている状態で３８ｄＢ以上になるように定められている。
【０００６】
【非特許文献１】
Ｓｔａｎｄａｒｄ  ＥＣＭＡ−３３７
【０００７】
【発明が解決しようとする課題】
しかしながら、上記した従来技術においてはウォブル信号自体（無変調のウォブル信号）の品質を測ることは出来るものの、位相変調が正しく行われているかどうかをみることが出来ない。位相変調が正しく行われていないということは、アドレスを正しく読み取ることが出来ないということであり、これは光ディスクの記録再生において大きな問題となる。
【０００８】
アドレス情報をどれだけ正しく読みとれるかを測定する方法としては、アドレスビットの誤り率を測定するという方法がある。しかしアドレス誤り率を測定するには、読み出したアドレス情報と正しいアドレス情報を比較する必要があり、また正しいアドレス情報を用意するには現在光ディスク上のどこの部分を読み出しているかを何らかの手段で知る必要があるが、これは非常に困難である。
【０００９】
そこで、本発明は上記の問題を解決するためになされたものであり、評価性能及び信頼性の高い評価方法と装置、これにより選別された情報記録媒体を提供することを目的とする。簡潔に要点を述べると位相検波されたウォブル信号がアドレス誤り率と相関性がある点に着目している。
【００１０】
【課題を解決するための手段】
この発明は、物理アドレス情報がグルーブウォブルの位相変調により記録されている光ディスクから、光学的に、前記グルーブウォブルに影響を受けたウォブル信号を取得し、前記ウォブル信号を位相検波し、この位相検波により得た位相検波波形をローパスフィルタに通し、前記ローパスフィルタ出力から求めたジッタ分布の標準偏差σと前記位相変調のシンボルクロックの周期Ｔとを用いてσ／Ｔの計算値を判定することで、上記物理アドレス情報の信頼性を評価することを基本としている、また、  前記ローパスフィルタ出力から求めた振幅の絶対値分布の標準偏差σ及び平均値μを用いて算出される推定誤り率の値を判定することで、上記物理アドレス情報の信頼性を評価することも基本的な考えである。
【００１１】
【発明の実施の形態】
以下、図面を参照しながら本発明の実施の形態を説明する。
【００１２】
［光ディスク装置の基本的な説明］
本発明の光ディスク装置はピックアップヘッド（ＰＵＨ）から出射されるレーザー光を光ディスク１１の情報記録層に集光することで、情報の記録再生を行っている。図１に光ディスク装置の構成例を示す。ディスク１１から反射した光は、再び、ＰＵＨ１２の光学系を通過し、フォトディテクター（ＰＤ）部１３で電気信号として検出する。
【００１３】
ＰＤ１３は２分割以上に分割されており、各素子の電圧値を加算した信号を和信号、減算した信号を差信号と呼ぶ。特に、ユーザー情報等の高周波情報が付加された和信号をＲＦ信号と呼ぶ。また、光ディスク１１に対して光学的に半径方向に配置された各素子を減算した信号をラジアルプッシュプル信号と呼ぶ。
【００１４】
図２に４分割ＰＤ部１３の例を示す。４つの素子３ａ−３ｄすべてを加算した信号が和信号、２つの素子を加算した後に加算信号同士を減算した結果が差信号となる。
【００１５】
検出された電気信号は、前置増幅器（プリアンプ）１４で増幅され、サーボ回路１５、ＲＦ信号処理回路１６、アドレス信号処理回路１７に出力される。
【００１６】
アドレス信号処理回路１７では、検出された信号を処理することにより、光ディスク１１上の記録位置を示す、物理アドレス情報を読み出し、コントローラー１８に出力する。コントローラー１８はこのアドレス情報を元に、所望の位置のユーザー情報等の情報を読み出したり、所望の位置にユーザー情報等の情報を記録したりする。
【００１７】
記録モードでは、コントローラ１８の制御のもとで、記録信号は記録信号処理回路１９から出力され、レーザダイオードドラバ（ＬＤＤ）２０に供給される。これによりＰＵＰ１２からのレーザ光が変調されて光ディスク１１の記録トラックに情報が記録される。
【００１８】
［光ディスクとランドアンドグルーブ記録の説明］
本発明の光ディスク１１は、透明基板上に形成されている情報記録層の情報記録エリアに、グルーブと呼ばれる案内溝を有している。案内溝を形成することによりできる凹凸構造はトラックとよばれ、情報の記録再生はこのトラックに沿って行われる。トラックは図３に示すように内側から外側まで連続してつながるスパイラル型、と複数の同心円から形成される同心円型がある。
【００１９】
図４にトラックの拡大図を示す。トラックは情報記録層の凹凸によって形成されており、片側をグルーブ、もう一方をランド呼ぶ。ＤＶＤ−ＲＡＭでは図４（Ａ）に記載したようなランドとグルーブの両方に情報を記録マークとして形成しており、＋ＲＷ等では図４（Ｂ）のようなグルーブのみに情報を記録マークとして形成している。
【００２０】
［ウォブル信号とプッシュプルの関係の説明］
図５にトラックの上面図を示す。本発明の光ディスクのトラックは、半径方向にわずかに蛇行している。これをウォブルトラックという。このウォブルトラックに沿って、集光されたビームスポットを走査していくと、ウォブルの周波数はトラッキングサーボ信号の帯域に比べ高い周波数であるため、ビームスポットはウォブルトラックの中心をほぼ直進する。このとき、和信号はほとんど変化せず、半径方向の差信号すなわちラジアルプッシュプル信号のみがウォブルにあわせて変化する。これをウォブル信号と呼ぶ。ウォブル信号は、スピンドルの回転周波数の調整や、記録クロックのリファレンス、物理アドレス情報として利用される。図６（Ａ）に和信号、図６（Ｂ）に差信号（ラジアルプッシュプル（ウォブル信号））の様子を示す。
【００２１】
［ウォブル信号の説明］
本発明を適用する光ディスクでは、このウォブル信号を変調することによって、光ディスクの情報記録領域における物理的な位置を示す物理アドレス情報を記録する。
【００２２】
すなわち、トラックに付与するウォブルを図７に示すような、周波数変調もしくは、図８に示すような位相変調をすることによって、物理アドレス情報を記録する。図７は、第１周波数（例えば“０”とする）、第２周波数（例えば“１”とする）を組み合せて、意味を持つ情報としている。図８の例では、第１位相（例えば“０”とする）、第２位相（例えば“１”とする）を組み合せて、意味を持つ情報としている。周波数記録された物理アドレス情報は例えば図１１のような復調回路を用いることで、読み取ることが可能になる。この復調回路については、さらに後で説明する。
【００２３】
図９に光ディスク１１の情報記録領域の構成を示す。光ディスクでは情報記録領域の物理的な位置を特定するために、図に示すように、トラック番号とセグメント番号を利用している。トラックに順番にトラック番号をつけラジアル方向の位置を特定し、さらにトラックを複数のセグメントに分割して、セグメント番号をつけることで、タンジェンシャル方向の位置を特定することができる。
【００２４】
このとき例えば一セグメント内のウォブルを変調することで一回もしくは複数回、位置情報であるアドレス情報を記録することができる。このウォブル変調による情報の構成は例えば図１０に示すようなものである。アドレス再生をする際にはアドレス情報の開始位置を知るために同期信号が必要となる。図１０における同期信号とはアドレス情報を再生する際のタイミング生成等に用いられるものである。
【００２５】
［位相復調方法の説明］
図１１に位相変調されたウォブル信号からアドレス情報を得るための復調回路例を示す。ウォブル信号には媒体固有の雑音や、隣接するトラックからのクロストークによる雑音などが含まれている。このためフォトディテクター部１３から得られた差信号は、バンドパスフィルタ（ＢＰＦ）３１等に供給される。バンドパスフィルタ３１では、ウォブル信号の周波数帯域以外の雑音が取り除かれる。この際、位相変化点における波形の周波数はウォブル信号の周波数と異なっているため、位相変化点ではバンドパスフィルタ処理によって振幅の減衰が生じる。図１２の（Ａ）はフォトディテクター部１３から取り出されたウォブル信号であり、図１２（Ｂ）は、バンドパスフィルタ３１を通過した後の信号である。第１位相と第２位相の境目付近で振幅減衰が生じている。
【００２６】
雑音を除去されたウォブル信号は位相検波器３２に、また搬送波を生成するためにフェイズロックドループ回路（ＰＬＬ）３３に入力される。フェイズドロックループ回路３３では、位相同期処理がおこなわれ、ウォブル信号と同期した搬送波（Ｃａｒｒｉｅｒ）（図１２（Ｃ）に示す）が出力される。位相検波器３２ではウォブル信号とこれに同期した搬送波によって、位相検波処理が行われる。位相検波処理の代表的な方法としては変調信号と搬送波の乗算によって位相の極性を判別するものがある。
【００２７】
乗算後の波形は図１２（Ｄ）示すように第１位相と第２位相でオフセットされた形で検波される。よって、この位相検波によって生じた高周波をローパスフィルタ（ＬＰＦ）３４等を用いて取り除く。そして、ローパスフィルタリング処理後の波形をスライサ３５よって閾値検出することで信号を２値化する。このときの波形の様子を図１３（Ａ）は、位相検波出力であり、図１３（Ｂ）は、位相検波出力の高周波成分をローパスフィルタ３４より除去した様子を示し、図１３（Ｃ）は、ローパスフィルタ３４の出力をスライサ３５に通して２値化した様子を示している。
【００２８】
２値化された波形からアドレスのビット情報を得るにはアドレスビットに同期したクロック（以下シンボルクロック）が必要となる。シンボルクロックは、フェイズドロックループ回路３３から出力されるウォブル周期に同期したウォブルクロックと、スライサ３５から出力される２値化信号を用いて生成される。
【００２９】
シンボルクロック生成器３６では２値化信号に対して、ウォブルクロックを１／Ｎ分周した波形が同期するように処理を行う。ここでＮは１アドレスビットを表現するのに用いるウォブル波数によって決定する。例えばウォブル４波で１アドレスビットを構成した場合、２値化信号は４の倍数のウォブル波数分で極性の切り替わりが生じる。この時の最短変調周期は４ウォブルである。つまりＮを４とすればアドレスビットに同期したクロックを生成することができる。図１３（Ｄ）のように、２値化信号のエッジ検出を行い、これを基準として、ウォブルクロックを４個づつカウントしたときが、ビット同期したパルスとなる。
【００３０】
２値化信号に同期した１／Ｎ分周ウォブルクロックは、シンボルクロックとしてアドレスデコーダ３７に送られる。アドレスデコーダ３７はスライサ３５より入力された２値化信号とシンボルクロックを用いてアドレスの復号を行う。
【００３１】
しかしながら図１０に示したように、ウォブルは物理アドレス情報だけでなく、アドレス情報の開始位置を示す同期信号を含むよう変調されているのが一般的である。同期信号はアドレス情報との誤り識別を防ぐためにアドレスビットとは異なる変調周期で変調されている。この場合、シンボルクロックは同期信号を含む最小の変調周期で生成する必要がある。ただし、同期信号の検出をアドレスビット検出と別の方法で行う場合（例えばウォブル１波単位での検出等）はシンボルクロックはアドレスビットの最短変調周期に合わせればよい。
【００３２】
以下に、ウォブル変調によってアドレスが記録された光ディスクにおいて、アドレス情報の信頼性を評価する手段を記載する。
【００３３】
［位相変調ウォブル信号の評価方法の説明  その１アドレス検出誤り率の測定］前述した位相復調方法において、アドレスの検出誤り率を測定する方法を図１４に示す。復調回路は、図１１で示した回路と同じであるから、同一符号を付している。前段復調回路によって得られたアドレスデータは後段のアドレスエラーレート計算器４１に入力される。アドレスエラーレート計算器４１は、あらかじめ用意されたメモリ４２のアドレスマップと入力されたデータの同期処理をし、アドレスの誤り率を計算する。
【００３４】
アドレス情報はディスクの再生方向に対して、連続的に記録されるのが一般的である。よってある時刻におけるアドレスを確定するのに前後の連続性を利用することが出来る。このため、マーク、スペースによって記録されたユーザー情報を復調した場合の誤り率に比べて若干悪くともアドレスの検出は可能である。ただし、ユーザー情報の復調では誤り訂正回路を用いるのが一般であるのに対して、アドレス復調では誤り訂正回路を用意することはほとんどない。これは記録再生において、現在読み出しているディスクのアドレス情報をすぐに必要とすることから、誤り訂正によって生じる遅延を許容できないためである。
【００３５】
以上のことを考えると、信頼性を確保するためのアドレスの誤り率は１Ｅ−３以下（１０００個に１回の割合）であるのが望ましい。また記録再生速度を向上させるためにアドレスのシーク速度を早めたい場合なども考えられる。この場合、前後の連続性を利用することなしにアドレス検出をする必要があり、より信頼性を確保する必要がある。この場合アドレスの誤り率は１Ｅ−４以下（１００００個に１回の割合）であるのが望ましい。
【００３６】
［位相変調ウォブル信号の評価方法の説明  その２  ジッタの測定］
次に前述した位相復調方法において、位相検波後の２値化波形からジッタを測定する方法を図１５に示す。図１１の復調回路と同一部分には、同一符号を付している。位相検波によって生じる高周波は、後段のローパスフィルタ（ＬＰＦ）４３によって十分に減衰された後２値化される。２値化信号にはアドレスビットの情報が含まれている。このため、２値化信号とアドレスビットに同期したシンボルクロックを用いることで、アドレスの検出誤り率と相関のあるジッタを計算することが出来る。この処理部がジッタ計算器５１である。
【００３７】
図１６（Ａ），図１６（Ｂ）にそれぞれ、雑音を含んでいないウォブル信号を位相検波した場合のローパスフィルタ（ＬＰＦ）３４の出力波形と、雑音を含んだ場合のローパスフィルタ（ＬＰＦ）３４の出力波形を示す。ウォブル信号が雑音を含んでいる場合、位相検波によって取り出された位相情報を含む信号にも雑音が含まれる。この雑音はアドレス復号の際に悪影響を及ぼす。図１６（Ｃ）、図１６（Ｄ）はそれぞれ図１６（Ａ），図１６（Ｂ）の信号を２値化した信号の立上り、立下りを示している。雑音がない場合、立上り、立下り信号はアドレスビットの切り替わり部分で正しく立っているが、雑音がある場合立上り、立下り信号は正しい位置からずれる。雑音が大きくなり、この位置のずれが大きくなるとアドレスの検出誤りが生じる。
【００３８】
図１７（Ａ）に雑音がないの場合のエッジ信号、図１７（Ｂ）に雑音がある場合のエッジ信号を示している。図１７（Ｂ）にジッタの様子を示す。雑音がない場合立上り、立下り信号からシンボルクロック（図１７（Ｃ））の立上りまでの時間ΔＴは一定である。しかし雑音がある場合、ΔＴにばらつきを生じる。この様子を図１８に示す。雑音がない場合ΔＴの分布はＴ／２の位置に集中する（図１８（Ａ））。しかし雑音がある場合、Δのばらつきによって分布はある標準偏差σを持つ（図１８（Ｂ））ことになる。この標準偏差σを１シンボルあたりの時間Ｔ（シンボルクロックの時間間隔の平均）で規格化した値、σ／Ｔをジッタの指標値として用いることができる。σが評価され、小さい場合は、良好な光ディスクであり、σが大きい場合は不適切なディスクであると判断できる。
【００３９】
ジッタの測定系としては他に図１９に示すような構成でもよい。図１５の実施の形態では、シンボルクロック生成器３６を用いた。しかし図１９ではシンボルクロック生成器３６の変わりに、単純な分周器５２を用いている。即ち、分周器５２は、ウォブルクロックを分周して、ジッタ計算器５１に供給している。１シンボルの表現が、ウォブル４波で表現されているとすると、分周器５２は、ウォブルクロックを１／４に分周すればよい。σ／Ｔを測定する場合には、ジッタが最良となるようにジッタ計算器５１側で、入力された分周器出力を遅延すればよい。
【００４０】
また前述したように、ウォブル信号にはアドレスビットと異なる周期で変調された同期信号が含まれていることが一般的である。この場合、ΔＴの値はアドレスビット部分と同期信号部分でその平均値が異なる。このためΔＴの分布は２つに分かれる。即ち、アドレス部分におけるΔＴの分布と、同期信号部分におけるΔＴの分布が現れることになる。この様子を図２０示す。この場合、σ値は同期信号部分の分布を取り除いたアドレス部分の分布から計算するのが望ましい。これはジッタ計算器５１内で容易に実現することが可能である。
【００４１】
図２１にジッタとアドレス検出誤り率の相関図を示す。図よりジッタはアドレス検出誤り率とほぼ一対一の相関があることがわかる。上述したようにアドレス検出誤り率は１．０Ｅ−０３以下（１０−３の割合（１０００個につき１個のエラー））であれば現実的には望ましい。そうすると、図２１から換算するとジッタは１２％以下であるのが望ましい。またアドレスの連続性を利用しない場合、アドレス検出誤り率は１．０Ｅ−０４以下である必要があるため、この場合のジッタは１０％以下であるのが望ましい。更に図２１にあるようにジッタとアドレスの検出誤り率の相関にはある程度のばらつきが存在している。よってこの測定ばらつきも考慮した場合、連続性を利用した検出系においてはジッタ値は１１％以下、連続性を利用しない検出系においてはジッタ値は９％以下、であるのが望ましい。
【００４２】
［位相変調ウォブル信号の評価方法の説明  その３推定誤り率の測定］
次に前述した位相復調方法において、位相検波波形のローパスフィルタ（ＬＰＦ）出力の振幅値を利用した評価方法を図２２に示す。先に示した復調回路と同一部分には、同一符号を付している。位相検波によって生じる高周波は後段のローパスフィルタ（ＬＰＦ）３４によって十分に減衰された後、推定誤り率計算器６１に入力される。推定誤り率計算器６１にはシンボルクロックも同時に入力され、シンボルクロックはＬＰＦ後の波形の振幅値を採取するのに用いられる。図２３を用いて説明する。推定誤り率計算器６１に入力されたローパスフィルタ（ＬＰＦ）出力波形からは、シンボルクロックの立上り時点の振幅値が取り出される。雑音がない場合（図２３（Ａ））、取り出された振幅値の絶対値はほぼ一定となるが、雑音がある場合（図２３（Ｂ））、振幅値の絶対値はある分散を持つ。
【００４３】
図２４にこの様子を示す。図２４（Ａ）は、雑音がない場合の理想的な振幅分布の様子を示しており、図２４（Ｂ）は、雑音がある場合の振幅分布の様子を示す。雑音が大きくなると振幅の分布の分散は広がり、本来２つの分布の中心値（図では０）を境に分かれているべき分布が重なり合うようになる。このときアドレスの検出誤りが生じる。よって分布の分散値と平均値の比率はアドレス検出誤り率と相関を持つ。
【００４４】
図２５（Ａ）の分布ような分布を、図２５（Ｂ）のように振幅の絶対値を取って２つの分布を重ね合わせる。この分布の標準偏差σと平均値μを利用することでアドレス検出誤り率の推定が可能である。振幅の絶対値の分布は図２４のようにほぼガウス分布なっている。このためガウスの確率密度関数によって表現される誤差関数を用いることで検出誤り率の推定値が求まる。以下に式を示す。
【００４５】
【数１】
2004296007.tif 000003
【００４６】
ＥＥＲ（Ｅｓｔｉｍａｔｅｄ  Ｅｒｒｏｒ  Ｒａｔｅ）値とアドレス検出誤り率はほぼ一対一の相関を示す。このためＥＥＲ値は１Ｅ−３以下であるのが望ましい。またアドレスの連続性を利用しない場合、アドレス検出誤り率は１．０Ｅ−０４以下である必要があるため、この場合のＥＥＲ値は１．０Ｅ−０４以下であるのが望ましい。更に測定ばらつきも考慮した場合、連続性を利用した検出系においてはＥＥＲ値は５．０Ｅ−０４以下、連続性を利用しない検出系においてはＥＥＲ値は５．０Ｅ−０５以下、であるのが望ましい。
【００４７】
またより簡単に誤り率を推定するにはμ／σを利用する方法もある。
【００４８】
図２６にμ／σと検出誤り率の相関表を示す。同表を用いることで、μ／σの値から検出誤り率の測定は可能である。同表よりμ／σの値は３．０以上であるのが望ましい。
【００４９】
［位相変調ウォブル信号の評価方法の説明  その４積分検出する場合のアドレス検出誤り率の測定］
図２７に積分器７１を用いたアドレス検出方法とその誤り率測定方法を示す。先に説明した復調回路と同一部分には同一符号を付している。位相検波波形はシンボルクロック生成のためにローパスフィルタ（ＬＰＦ）処理、スライス処理した後、シンボルクロック生成器３６に入力される。また，位相検波波形は、リセット可能な積分器７１にも入力される。積分器７１にはシンボルクロックも入力される。積分器７１内では入力された位相検波波形をシンボルクロック間隔で積分し出力する。この様子を図２８に示す。積分器７１の出力部分では、シンボルクロックが入力された時点の積分値を保持しておくレジスタが用意されており、このレジスタの値はシンボルクロックの入力ごとに更新される。また積分処理を行っている際の計算値はシンボルクロックの入力と共にリセットされる。こうして得られた波形はシンボルクロックと共にアドレス復号器７２に入力され、アドレスの復号が行われる。復号器７２によって得られたアドレスデータは後段のアドレスエラーレート計算器７３に入力される。アドレスエラーレート計算器７３は、あらかじめ用意されたメモリ７４からのアドレスマップと入力されたデータの同期処理をし、アドレスの誤り率を計算する。この検出系を用いた際の信頼性を確保するためのアドレスの誤り率も前述と同様に１Ｅ−３以下であるのが望ましい。
【００５０】
［位相変調ウォブル信号の評価方法の説明  その５積分検出する場合の推定誤り利率の測定］
図２９に積分器を用いたアドレス検出をした際の推定誤り率の測定方法を示す。推定誤り率計算器８１には積分器７１出力とシンボルクロックが入力される。推定誤り率計算器８１内部ではシンボルクロックを用いて積分後波形から振幅値を取り出す。取り出された振幅値を用いて推定誤り率を計算する方法は上記と同様の方法で行う。この検出系を用いた際の信頼性を確保するための推定誤り率も前述と同様に１Ｅ−３以下であるのが望ましい。またμ／σの値も３．０以上であるのが望ましい。
【００５１】
上記した本発明の要点をまとめると以下のようになる。（１）物理アドレス情報がグルーブウォブルの位相変調により記録されている光ディスクにおいて、ウォブル信号の位相検波波形を用いてアドレス情報の信頼性を評価する方法である。＜１の効果＞位相検波波形を用いて評価することにより、容易にアドレス検出誤り率と相関のある評価値を得ることが可能となる。
【００５２】
また（２）上記（１）の評価方法において位相検波波形のローパスフィルタ出力から求めたジッタ分布の標準偏差σ及び変調のシンボルクロック周期Ｔを用いて信頼性を評価する方法である。＜２の効果＞ジッタ分布の標準偏差及び変調のシンボルクロック周期を用いて評価することにより、容易にアドレス検出誤り率と相関のある評価値を得ることが可能となる。
【００５３】
さらに（３）上記２の評価方法を用いて選別された光ディスクは、ジッタ分布の標準偏差及び変調のシンボルクロック周期を用いて評価することにより、測定が容易でかつアドレス検出誤り率と相関のある評価値で光ディスクの選別を行うことが可能となる。（４）上記２の評価方法において、標準偏差σ及び変調のシンボルクロック周期Ｔによって算出されるσ／Ｔが１２％以下であるように選別された光ディスクである。＜４の効果＞σ／Ｔを用いて評価することにより、測定が容易でかつアドレス検出誤り率と相関のある評価値で、光ディスクを選別することが可能となる。（５）上記１の評価方法において、位相検波波形のローパスフィルタ出力から求めた振幅の絶対値分布の標準偏差σ及び平均値μを用いてアドレス情報の信頼性を評価する方法である。＜５の効果＞振幅の絶対値分布の標準偏差及び平均値を用いて評価することにより、容易にアドレス検出誤り率と相関のある評価値を得ることが可能となる。（６）上記５の評価方法を用いて選別された光ディスクは、振幅の絶対値分布の標準偏差及び平均値を用いて評価することにより、測定が容易でかつアドレス検出誤り率と相関のある評価値で、光ディスクを選別することが可能となる。
【００５４】
（７）上記５の評価方法において、標準偏差σ及び平均値μによって算出される推定誤り率が１Ｅ−３以下であるように選別された光ディスクは、推定誤り率を用いて評価を行うことにより、測定が容易でかつアドレス検出誤り率と相関のある評価値で光ディスクの選別を行うことが可能となる。
【００５５】
【発明の効果】
以上説明したようにこの発明は、評価性能及び信頼性の高い評価方法と装置、これにより選別された情報記録媒体を提供することができる。
【図面の簡単な説明】
【図１】光ディスク装置の構成例を示す図。
【図２】図１のフォトディテクタ部を示す図。
【図３】この発明に係る光ディスクの平面図。
【図４】図３の光ディスクの一部を取り出し基本構造を拡大して示す説明図。
【図５】図３の光ディスクのグルーブ・ランドのウォブルを拡大して示す説明図。
【図６】図５のウォブルを読み取ったときの出力ウォブル信号の例を説明するために示した図。
【図７】周波数切換えによるウォブル変調信号の例を示す説明図。
【図８】位相切換えによるウォブル変調信号の例を示す説明図。
【図９】光ディスクのセグメントの物理アドレスの設定方法を説明するために示した説明図。
【図１０】光ディスクの物理アドレスのフォーマットの例を示す図。
【図１１】この発明の一例に係る評価方法を採用した復調回路の構成例を示す図。
【図１２】図１１の回路の動作を説明するために示す信号波形例の図。
【図１３】図１１の回路の動作を説明するために示す信号波形例の図。
【図１４】この発明の他の例に係る評価方法を採用した復調回路の構成例を示す図。
【図１５】この発明のさらに他の例に係る評価方法を採用した復調回路の構成例を示す図。
【図１６】図１５の回路の動作を説明するために示す信号波形例の図。
【図１７】図１５の回路の動作を説明するために示す信号波形例の図。
【図１８】図１５の回路の動作を説明するために示すΔＴの分布図。
【図１９】この発明のさらにまた他の例に係る評価方法を採用した復調回路の構成例を示す図。
【図２０】同期信号の影響とアドレス情報の影響とがジッタ成分として現れた場合のΔＴの分布図。
【図２１】図１９の回路と評価方法を採用したとき、ジッタとアドレス誤り検出率との関係を測定した例を示す説明図。
【図２２】この発明のまた他の例に係る評価方法を採用した復調回路の構成例を示す図。
【図２３】図２２の回路の動作を説明するために示す信号波形例の図。
【図２４】図２２の回路の動作を説明するために振幅部分の例を示す図。
【図２５】図２２の回路の動作を説明するために振幅部分の例を示す図。
【図２６】アドレスエラー率のマップの例を示す図。
【図２７】この発明のさらにまた他の例に係る評価方法を採用した復調回路の構成例を示す図。
【図２８】図２７の回路の動作を説明するために示す信号波形例の図。
【図２９】この発明のまた他の例に係る評価方法を採用した復調回路の構成例を示す図。
【符号の説明】
１１…光ディスク、１２…ピックアップヘッド（ＰＵＨ）、１３…フォトディテクタ部、１４…前置増幅器、１５…サーボ回路、１６…ＲＦ信号処理回路、１７…アドレス信号処理回路、１８…コントローラ、１９…記録信号処理回路、３１…バンドパスフィルタ（ＢＰＦ）、３２…位相検波器、３３…位相ロックループ回路、３４…ローパスフィルタ（ＬＰＦ）、３５…スライサ、３６…シンボルクロック生成器、３７…アドレスデコーダ、４１…アドレスエラーレート計算器、４２…メモリ、５１…ジッタ計算器、５２…分周器、６１…推定誤り率計算器、７１…積分器、７２…アドレス復号器、７３…アドレスエラーレート計算器。
【図１】
2004296007.tif 000004
【図２】
2004296007.tif 000005
【図３】
2004296007.tif 000006
【図４】
2004296007.tif 000007
【図５】
2004296007.tif 000008
【図６】
2004296007.tif 000009
【図７】
2004296007.tif 000010
【図８】
2004296007.tif 000011
【図９】
2004296007.tif 000012
【図１０】
2004296007.tif 000013
【図１１】
2004296007.tif 000014
【図１２】
2004296007.tif 000015
【図１３】
2004296007.tif 000016
【図１４】
2004296007.tif 000017
【図１５】
2004296007.tif 000018
【図１６】
2004296007.tif 000019
【図１７】
2004296007.tif 000020
【図１８】
2004296007.tif 000021
【図１９】
2004296007.tif 000022
【図２０】
2004296007.tif 000023
【図２１】
2004296007.tif 000024
【図２２】
2004296007.tif 000025
【図２３】
2004296007.tif 000026
【図２４】
2004296007.tif 000027
【図２５】
2004296007.tif 000028
【図２６】
2004296007.tif 000029
【図２７】
2004296007.tif 000030
【図２８】
2004296007.tif 000031
【図２９】
2004296007.tif 000032